(57)【要約】【課題】  シート積載装置のシート揃え装置において、騒音の発生を防止するとともに部品の耐久性を向上させる。【解決手段】  カム１１の回転により第１のレバー１２は枢軸１３を回動中心として揺動し、基端部に当接部１２ａが設けられている。第２のレバー１５は枢軸１３に揺動自在に支持され、引張りコイルばね１６によって反時計方向に付勢されている。第２のレバー１５の突出部１５ａのねじ孔１５ｂに螺合した調整ボルト１８の先端は、常に第２のレバー１５の当接部１２ａに当接している。本機に連動してカム１１が回転し、第１のレバー１２および調整ボルト１８を介して第２のレバー１５が揺動する。この揺動により、第２のレバーの揺動端に設けたカム１７が揺動し、このカム１７のカム面に対接するカムフォロア２５を介して横寄せ板３２が紙の左右方向に往復動する。【選択図】  図３
2009084055.tif 000002
【特許請求の範囲】
【請求項１】
シート状物を積載するシート積載手段と、往復動によりシート状物の端縁と当接して積載手段に積載されるシート状物を揃える揃え部材とを備えたシート積載装置のシート揃え装置において、
駆動手段により揺動する第１のレバーと、この第１のレバーに対して揺動自在に支持され揺動することにより前記揃え部材を往復動させる第２のレバーと、これら第１および第２のレバーのいずれか一方側に移動自在に支持されこれら第１および第２のレバーの他方側に当接し、前記第１のレバーの揺動を第２のレバーに伝達する伝達部材と、この伝達部材を前記第１および第２のレバーの他方側に当接させる方向に付勢する付勢部材とを備え、前記伝達部材の移動により前記第１のレバーに対する前記第２のレバーの位置を調整することを特徴とするシート積載装置のシート揃え装置。
【請求項２】
前記揃え部材側にカムフォロアを設け、前記第２のレバー側にカムを設け、
前記伝達部材による調整により前記第２のレバー側のカムの揺動範囲を調整し、これにより、前記揃え部材の往復動を調整することを特徴とする請求項１記載のシート積載装置のシート揃え装置。
【請求項３】
前記伝達部材の調整により前記カムの揺動範囲を当該カムが前記カムフォロアに当接しない範囲に調整することにより前記揃え部材の往復動を停止させることを特徴とする請求項２記載のシート積載装置のシート揃え装置。
【請求項４】
前記駆動手段がカムを備え、
前記第１のレバーにカムフォロアを設け、
前記付勢部材は前記カムフォロアを前記カムに当接するように付勢することを特徴とする請求項３記載のシート積載装置のシート揃え装置。
【請求項５】
前記伝達部材をその先端に前記第１および第２のレバーの他方側が当接するねじとしたことを特徴とする請求項１記載のシート積載装置のシート揃え装置。
【発明の詳細な説明】
【技術分野】
【０００１】
本発明は、排紙装置から排出されて落下積載されたシート状物の左右方向を揃えるシート積載装置のシート揃え装置に関するものである。
【背景技術】
【０００２】
一般に、この種のシート積載装置のシート揃え装置には、排紙チェーンのくわえから解放されて落下積載されたシート状物の左右方向（幅方向）を揃えるために、シート状物の左右方向に振動する横寄せ板が備えられている。シート状物の厚さや腰の強さ等の種々の条件により横寄せ板の振幅を調整する必要がある。また、比較的厚みの薄いシート状物である場合、横寄せ板を振動させると、シート状物の左右方向の紙端を折り曲げてしまうことがあるため、横寄せ板の振動を停止させる、すなわち振幅をゼロにする必要がある。このため、横寄せ板の振動を調整する手段が備えられている。
【０００３】
従来のシート積載装置のシート揃え装置としては、本機と連動して回転するカムと、このカムの周面に対接するカムフォロアを介して揺動するレバーと、このレバーが揺動することによりこのレバーの揺動端部に設けたカムとカムフォロアとのカム作用によりシート状物の左右方向に振動する横寄せ板と、前記レバーの揺動開始位置を調整して横寄せ板の振動を調整する調整手段とを備えたものがある（例えば、特許文献１参照）。
【特許文献１】特開２００５−２４７５０２号公報
【発明の開示】
【発明が解決しようとする課題】
【０００４】
上述した従来のシート積載装置のシート揃え装置における調整手段は、固定部材に螺合したねじ棒を進退させねじ棒の先端をレバーに押し当てることによりレバーの揺動開始位置を調整する構造としているため、調整が終了したねじ棒は固定部材に移動が規制された状態になっている。このため、レバーが揺動するたびにレバーがねじ棒の先端から離間するから、ねじ棒の先端に対してレバーが離間と衝突とを繰り返すことになり、騒音が発生するとともに、当該部分の耐久性が低下するという問題があった。
【０００５】
本発明は上記した従来の問題に鑑みなされたものであり、その目的とするところは、騒音の発生を防止するとともに耐久性を向上させたシート積載装置のシート揃え装置を提供するところにある。
【課題を解決するための手段】
【０００６】
この目的を達成するために、本発明は、シート状物を積載するシート積載手段と、往復動によりシート状物の端縁と当接して積載手段に積載されるシート状物を揃える揃え部材とを備えたシート積載装置のシート揃え装置において、駆動手段により揺動する第１のレバーと、この第１のレバーに対して揺動自在に支持され揺動することにより前記揃え部材を往復動させる第２のレバーと、これら第１および第２のレバーのいずれか一方側に移動自在に支持されこれら第１および第２のレバーの他方側に当接し、前記第１のレバーの揺動を第２のレバーに伝達する伝達部材と、この伝達部材を前記第１および第２のレバーの他方側に当接させる方向に付勢する付勢部材とを備え、前記伝達部材の移動により前記第１のレバーに対する前記第２のレバーの位置を調整するものである。
【０００７】
本発明は、前記発明において、前記揃え部材側にカムフォロアを設け、前記第２のレバー側にカムを設け、前記伝達部材による調整により前記第２のレバー側のカムの揺動範囲を調整し、これにより、前記揃え部材の往復動を調整するものである。
【０００８】
本発明は、前記発明のうちのいずれか一つの発明において、前記伝達部材の調整により前記カムの揺動範囲を当該カムが前記カムフォロアに当接しない範囲に調整することにより前記揃え部材の往復動を停止させるものである。
【０００９】
本発明は、前記発明のうちのいずれか一つの発明において、前記駆動手段がカムを備え、前記第１のレバーにカムフォロアを設け、前記付勢部材は前記カムフォロアを前記カムに当接するように付勢するものである。
【００１０】
本発明は、前記発明において、前記伝達部材をその先端に前記第１および第２のレバーの他方側が当接するねじとしたものである。
【発明の効果】
【００１１】
本発明によれば、揃え部材の振動を調整する伝達部材が、付勢部材によって常に第１および第２のレバーの他方に当接する方向に付勢されて接触したままの状態にあるため、第１および第２のレバーは伝達部材を介して一体となって揺動するので、第１のレバーの揺動によって伝達部材が第１および第２のレバーの他方から離間するようなことがない。このため、伝達部材の先端と第１および第２のレバーの他方とが衝突するようなことがないから、騒音が発生するようなことがなく、また衝撃も起きないため耐久性を向上させることができる。
【発明を実施するための最良の形態】
【００１２】
以下、本発明の実施の形態を図に基づいて説明する。図１は本発明に係るシート積載装置のシート揃え装置を実施した枚葉輪転印刷機の排紙装置の側面図、図２は本発明に係るシート積載装置のシート揃え装置の側面図、図３は同じく要部の側面図、図４は図３におけるIV矢視図、図５は図３におけるV 矢視図である。
【００１３】
図１に全体を符号１で示すものはシート状物を処理する処理機械の排出装置としての枚葉輪転印刷機の排紙装置であって、この排紙装置１の左右の排紙フレーム２，２（一方の排紙フレーム２は図示せず）には、左右一対のスプロケット３，３（一方のスプロケット３は図示せず）が軸着されている。このスプロケット３と図示を省略した印刷装置側のスプロケットとの間には、上下のチェーンガイド４，４（図４参照）に案内される左右一対の排紙チェーン５，５（一方の排紙チェーン５は図示せず）が張架されている。左右の排紙チェーン５，５には、一定間隔をあけて配設された周知のシート状物保持装置としての紙くわえ装置５ａが設けられており、印刷されたシート状物としての紙はこの紙くわえ装置５ａによって搬送され、搬送終端部において紙は紙くわえ装置５ａから解放される。スプロケット３、排紙チェーン５、紙くわえ装置５ａが、シート状物を搬送する搬送装置を構成する。
【００１４】
排紙チェーン４の搬送終端部下方には、上下方向に昇降自在な積載台としての紙積台６が設けられ、この紙積台６上には、排紙チェーン５に設けられた紙くわえ装置５ａから解放された紙７が積載される。８は積載された紙７のシート状物搬送方向下流側に配設され、紙くわえ装置５ａから解放された紙７の前端を当接させて天地方向（シート状物搬送方向）の揃えを行う当て装置としての前当てである。９は吸引車であって、落下直前の紙７の紙尻部をエアによって吸引し、搬送されてきた紙７の速度を減速させることにより適切な速度で紙７を排出させる。
【００１５】
次に、図２ないし図４を用いて、本発明の特徴である揃え装置としての横寄せ装置について説明する。図２において、１１はスプロケット３の軸３ａと同軸上に軸着された駆動手段を構成するカムであって、小径部１１ａと大径部１１ｂとを有する。１２は基端部が排紙フレーム２に固定した枢軸１３に枢支された第１のレバーであって、揺動端部にカム１１の周面に圧接する第１のカムフォロア１４が枢着されており、揺動中心となる基端部には当接部１２ａが一体に設けられている。
【００１６】
１５は一端部が前記枢軸１３に枢支された第２のレバーであって、揺動端部と排紙フレーム２間に懸架した付勢部材としての引張りコイルばね１６の引張力によって、枢軸１３を回動中心として図中反時計方向に付勢されている。この第２のレバー１５の揺動端には、図４に示す傾斜したカム面１７ａを有するカム１７が設けられている。また、この第２のレバー１５の揺動中心となる基端部には、略直角方向に延在された突出部１５ａが一体に設けられており、この突出部１５ａにはねじ孔１５ｂが形成されている。
【００１７】
このねじ孔１５ｂには、先端１８ａが前記第１のレバー１２の当接部１２ａに当接する伝達部材であり調整部材として機能する調整ボルト１８が螺合されている。第１のレバー１２は、調整ボルト１８、第１のレバー１２の当接部１２ａを介して、引張りコイルばね１６の引張力によって枢軸１３を回動中心としてカムフォロア１４がカム１１に押圧される方向（図中反時計方向）に付勢されている。したがって、カム１１が回転することにより、カムフォロア１４を介して第１のレバー１２が枢軸１３を回動中心として揺動し、調整ボルト１８を介して第２のレバー１５が第１のレバー１２と一体的に枢軸１３を回動中心として揺動する。
【００１８】
この揺動によって、カム１７がカムフォロア２５に対する遠近方向（矢印Ａ−Ｂ方向）へ往復動する。また、調整ボルト１８を当接部１２ａへ向けて前進させる調整を行うことにより、第１のレバー１２と第２のレバー１５とのなす角度が大きくなるように調整され、第２のレバー１５が枢軸１３を回動中心として図中時計方向に回動し、カム１７がカムフォロア２５に近接する方向（矢印Ａ方向）に移動する。これにより、第２のレバー１５の揺動範囲がカムフォロア２５に近接する、すなわちカム１７のカム面１７ａのカムフォロア２５との接触範囲がより多くなり、これにより横寄せ板３２の振幅が大きくなる。一方、調整ボルト１８を当接部１２ａから後退させる調整を行うことにより、第２のレバー１５が枢軸１３を回動中心として図中反時計方向に回動し、カム１７がカムフォロア２５から離反する方向（矢印Ｂ方向）に移動する。
【００１９】
これにより、第２のレバー１５の揺動範囲がカムフォロア２５から遠ざかる、すなわちカム面１７ａのカムフォロア２５との接触範囲が少なくなり、これにより横寄せ板３２の振幅が小さくなる。さらに、調整ボルト１８を調整することにより、第２のレバー１５の揺動範囲が、カム１７のカム面１７ａがカムフォロア２５に接触しない位置に位置付けられ、これにより、第１のレバー１２を介して第２のレバー１５が揺動しても、カム面１７ａが第２のカムフォロア２５に接触しないため、横寄せ板３２の振幅がゼロ、すなわち往復動が停止される。
【００２０】
図４および図５において、２０はフレーム２に取り付けられた固定ブロックである。２１はフレーム２に対して積載された紙７に対する遠近方向（矢印Ｃ−Ｄ方向）に移動自在に支持された案内部材であって、この案内部材２１はラック部材３０を矢印Ｃ−Ｄ方向に移動自在に支持している。図５に示すように、この案内部材２１に植設されたピン２２と固定ブロック２０との間には、付勢部材としての引張コイルばね２３が懸架されており、案内部材２１はこの引張コイルばね２３の引張力によって積載された紙７に近接する方向（矢印Ｄ方向）に付勢されている。
【００２１】
また、この案内部材２１に取り付けられたブラケット２４には、図４に示すようにカムフォロア２５が回転自在に支持されており、このカムフォロア２５には、本機の印刷動作に連動して当該カムフォロア２５に対する遠近方向（矢印Ａ−Ｂ方向）に往復動する前記したカム１７のカム面１７ａが添接する。したがって、本機の印刷動作が開始されると、前記第２のレバー１５の揺動に伴うカム部材１７の矢印Ａ−Ｂ方向への往復動により、このカム部材１７のカム面１７ａ上を転動する第２のカムフォロア２５を介して、案内部材２１が引張コイルばね２３の引張力に抗して積載された紙７から離反する方向（矢印Ｃ方向）へ移動し、次に引張コイルばね２３の引張力によって矢印Ｄ方向へ移動するため、案内部材２１は矢印Ｃ−Ｄ方向に往復動し、後述する横寄せ板３２による紙７の左右方向における紙揃えが行われる。
【００２２】
図４において、２７は紙７の左右方向のサイズに対応させ横寄せ板３２を矢印Ｃ−Ｄ方向に移動させる駆動装置としてのモータであって、案内部材２１に取り付けられており、出力軸にはピニオン２８が軸着されている。３０は矢印Ｃ−Ｄ方向に延在するように案内部材２１に移動自在に支持されたラック部材であって、ピニオン２８に噛合し矢印Ｃ−Ｄ方向に延在するラック３１が取り付けられている。横寄せ板３２はブラケット３３を介してラック部材３０の一方の端部に取り付けられている。
【００２３】
したがって、モータ２７を一方向に駆動することによりピニオン２８が図４中反時計方向に回転し、ピニオン２８に噛合するラック３１を介してラック部材３０が矢印Ｃ方向に移動する。この移動によって横寄せ板３２が左右方向のサイズが大きい紙に対応する。一方、モータ２７を一方向と反対方向の他方向に駆動することによりピニオン２８が図４中時計方向に回転し、ピニオン２８に噛合するラック３１を介してラック部材３０が矢印Ｄ方向に移動する。この移動によって横寄せ板３２が左右方向のサイズが小さい紙に対応する。これらモータ２７、ラック３１、ラック部材３０が、シート状物サイズ調整装置を構成している。
【００２４】
このように構成されていることにより、印刷動作が開始されると、本機に連動してカム１１が回転するので、カムフォロア１４を介して第１のレバー１２が枢軸１３を回動中心として揺動する。この揺動によって、調整ボルト１８を介して第２のレバー１５が第１のレバー１２と一体的に枢軸１３を回動中心として揺動するから、カム１７が矢印Ａ−Ｂ方向へ往復動する。このカム１７の往復動により、カム１７のカム面１７ａに対接する第２のカムフォロア２５を介して案内部材２１を図４中矢印Ｃ−Ｄ方向に往復動させることにより、横寄せ板３２を矢印Ｃ−Ｄ方向へ往復動させ、この横寄せ板３２の往復動による振動によって紙７の左右方向が揃えられる。
【００２５】
このカムフォロア１４を介して第１のレバー１２が揺動するとき、引張りコイルばね１６の引張力によって調整ボルト１８の先端が第１のレバー１２の当接部１２ａに当接する方向に付勢されているため、第１のレバー１２の揺動動作によって、調整ボルト１８の先端が第１のレバー１２の当接部１２ａから離間するようなことがない。このため、調整ボルト１８の先端が第１のレバー１２の当接部１２ａから離間して当接部１２ａに衝突するようなことがないから、騒音の発生を防止することができるとともに、衝突による衝撃がないため耐久性を向上させることができ、紙揃えに悪影響を及ぼすことがない。また、一本の引張りコイルばね１６によって、調整ボルト１８の第１のレバー１２の当接部１２ａへの付勢と、第１のレバー１２のカムフォロア１４の偏心カム１１への付勢とを行うようにしたことにより、部品点数が削減されるとともに構造を簡素化することができる。
【００２６】
また、紙の腰や紙の厚さなどに応じて、横寄せ板３２の振幅を調整する場合は、調整ボルト１８を操作し、その先端の位置を調整することにより、第１のレバー１２に対する第２のレバー１５の相対的位置を調整する。これにより、第２のレバー１５が枢軸１３を回動中心として回動し、この回動によりカム１７がカムフォロア２５に対する遠近方向に位置調整され、カム１７の振幅は変化せずその往復動の範囲がシフトする。したがって、カム１７の往復動によるカム面１７ａのカムフォロア２５が当接する範囲が調整されて、横寄せ板３２の振幅が調整される。これにより種々のシート状物に対して最適な紙揃えを行うことができる。
【００２７】
ここで、紙積台６に腰の弱い紙あるいは厚みの薄い紙を積載する場合は、調整ボルト１８を当接部１２ａから後退させることにより、枢軸１３を回動中心として第２のレバー１５を引張りコイルばね１６の引張力によって図３中反時計方向、すなわち第１のレバー１２と第２のレバー１５とのなす角が小さくなる方向へ回動させる。この回動によってカム１７が矢印Ｂ方向に移動するため、図３に二点鎖線で示すように第２のカムフォロア２５からカム面１７ａが離間することにより、第１のレバー１２を介して第２のレバー１５が揺動しても、カム面１７ａが第２のカムフォロア２５に接触しないため、横寄せ板３２は往復動しない。このため、腰の弱い紙あるいは厚みの薄い紙を折り曲げてしまうことがなく、的確に紙揃えを行うことができる。
【００２８】
なお、本実施の形態においては、調整ボルト１８を第２のレバー１５側に螺合させるようにしたが、第１のレバー１２側に螺合させ、先端１８ａを第２のレバー１５の突出部１５ａに当接させるようにしてもよい。また、一本の引張りコイルばね１６によって第２のレバー１５と第１のレバー１２との付勢を行うようにしたが、第１のレバー１２を専用の付勢部材によって付勢するようにしてもよい。また、シート状物は紙に限定されずフィルムでもよい。また、シート状物の処理としては、印刷だけでなく、コーティング、ラミネート、エンボス、打ち抜き等でもよい。
【図面の簡単な説明】
【００２９】
【図１】発明に係るシート積載装置のシート揃え装置を実施した枚葉輪転印刷機の排紙装置の側面図である。
【図２】本発明に係るシート積載装置のシート揃え装置の側面図である。
【図３】本発明に係るシート積載装置のシート揃え装置の要部を示す側面図である。
【図４】図３におけるIV矢視図である。
【図５】図３におけるV 矢視図である。
【符号の説明】
【００３０】
１…枚葉輪転印刷機の排紙装置、７…紙（シート状物）、８…紙当て、１１…偏心カム、１２…第１のレバー、１３…枢軸、１４…カムフォロア、１５…第２のレバー、１６…引張りコイルばね（付勢部材）、１７…カム、１７ａ…カム面、１８…調整ボルト（伝達部材）、２５…カムフォロア、３２…横寄せ板。
【図１】
2009084055.tif 000003
【図２】
2009084055.tif 000004
【図３】
2009084055.tif 000005
【図４】
2009084055.tif 000006
【図５】
2009084055.tif 000007